(57)【要約】【課題】接着作業に用いる接着剤を入れるパレットの容量を調整可能、かつメインテナンスを容易とする。【解決手段】  接着剤を適量づつ取り分けるパレット1の内側に内部スペース10を凹設し、該パレットの内部スペース底に孔１０２を設け、更に排出口２０を具有する調整器２を該孔に螺合して昇降して高さを調整可能とする。内部スペースに収容する接着剤の量は、該調整器の昇降により行い、作業後は、該調整器を外して、清掃することによりメインテナンスが容易にできる。【選択図】  図２
0003166856.tif 000002
【実用新案登録請求の範囲】
【請求項１】
接着剤を適量づつ取り分けるパレットにおいて、
該パレットの内側に接着剤を入れる内部スペースを凹設すると共に該内部スペースに孔を設け、
該孔に高さを調整できる調整器を設けると共に該調整器に接着剤を外部に流出させる排出口を設けたことを特徴とする接着剤を入れるパレットの構造。
【請求項２】
前記パレットの内部スペースの底面に貫通孔を設け、該孔に調整器を昇降可能に設置したことを特徴とする請求項１記載の接着剤を入れるパレットの構造。
【請求項３】
前記パレットの内部スペースに設ける孔の内側にめねじを設け、相対する調整器の外側に組立、調整に必要なおねじを設けたことを特徴とする請求項２記載の接着剤を入れるパレットの構造。
【請求項４】
前記パレットの内部スペースに設ける調整器は、上記内部スペース内にて昇降して高さを調整し、内部スペースに入れる接着剤の量を調整することを特徴とする請求項１記載の接着剤を入れるパレットの構造。
【考案の詳細な説明】
【技術分野】
【０００１】
接着剤を入れるパレットの構造に関し、特に、材料となる接着剤の量を調整できるパレットの構造に関し、該調整器の昇降によって量を調整することにより、パレット内に入れる接着剤の量を簡単に調整できる目的に達し、接着剤を使用する際、過剰或いは不足する状況となることを防止する
【背景技術】
【０００２】
各種の板材の加工過程において、通常は適量の板材を組み合わせて、予定の厚みにする。例えばダンボールの板材、厚紙の板材、三層のベニア板の板材、ベニア板の板材、プラスティックの板材など、適切な厚みにより、その構造の強度を増やす必要がある。該板材を成形する過程において、接着剤(糊、樹脂、液体糊など)を各層の板材の間に塗布して接着し、適切な厚みの板材にする。該板材の加工過程において、接着剤を適量づつパレットに取って板材の接着加工を行う。しかし、パレット内の容量は固定しており、接着剤を入れる際は、ユーザーの経験に基づき、該パレット内に必要と思われる量の接着剤を入れるが、往々にして量が過剰、或いは不足する状況が生じる。仮に出した接着剤の量が多すぎる場合、残余量は外部の物体と接触したりして、ホコリや屑などが付きやすく、再利用するにしても、接着剤の品質が劣化し、板材を平らに且つしっかりと接着することができない。また、パレットに入れる量が不足する場合、使用途中で接着剤を補充する必要がある。しかし、接着剤の量は調整しにくく、通常は多く入れることになりやすいため、使用後は尚も接着剤が残ってしまう状況に陥りやすい。図５及び図６に示すように、パレットＡ内部スペースＡ０の中央に一定高さの柱体Ａ１を設置し、該柱体Ａ１の内部に外側に通じてオーバーフローさせる排出口Ａ１０を具有する。該内部スペースＡ０内に接着剤Ｂを入れ、板材の接着、組立作業を行うが、実際使用する際には、尚も下記の欠点や問題点がある。
（１）パレット内に入れる接着剤Ｂの量は、柱体Ａ１と同じ高さにまでしか入れられないため、接着剤Ｂの量を増やすことができない。大量の接着剤Ｂを使用したい場合、数回に分けて接着剤Ｂを入れることになり、板材の加工過程の速度や効率に影響を及ぼし、生産量を下げ、生産高を減らすことになる。
（２）パレットＡを使用した後、逆さまにしてパレットＡ内部スペースＡ０の隅に残留する接着剤Ｂを取り除く必要があるため、清掃作業が不便である。パレットＡの体積が比較的大きいと、逆さまにして掃除する作業は更に不便となるが、残留している接着剤を取り除いてないと、次回使用する際に、接着剤Ｂが混ざり合い、品質が悪くなる。
【０００３】
現在接着剤を入れるパレットでは、接着剤の量をコントロールし難く、また、接着剤が残留する場合、回収して再利用することもできず、パレットも掃除しにくい欠点を鑑みて、更なる改善が必要であった。
【先行技術文献】
【特許文献】
【０００４】
【特許文献１】特開昭６１−２２０７５２号公報
【特許文献２】特開２００９−２６８９４９号公報
【考案の概要】
【考案が解決しようとする課題】
【０００５】
前記公知構造の欠点を解決するため、本考案の第１の目的は、排出口を具有する調整器を可動的に設置し、過量の接着剤を該排出口から外部に排出できる接着剤を入れるパレットの構造を提供することにある。
本考案の第２の目的は、パレット内に設ける孔の内側にめねじを設け、調整器の外側におねじを設けることで、調整器のおねじが孔のめねじと螺合して可動的に昇降調整できる接着剤を入れるパレットの構造を提供することにある。
本考案の第３の目的は、パレット内に孔を設け、そこに調整器を螺合するほか、該調整器を孔から取り出し、残留する接着剤を該孔から外に排出することができる接着剤を入れるパレットの構造を提供することにある。
【課題を解決するための手段】
【０００６】
前記課題を解決するために、本考案は、接着作業の際に接着剤を入れるパレットの構造を提供するものである。該パレットの内側に接着剤を入れる内部スペースを凹設し、該内部スペースの中に貫通する孔を設置し、排出口を具有する調整器を螺合して設置する。該調整器が孔にて昇降して高さを調整することで、内部スペースにある過量の接着剤を排出口から外側に流すことで、内部スペースに入れる接着剤の量をコントロールし、簡単に調整することができる。適量の接着剤が入るため、接着剤を使用する際に、過剰或いは不足する状況を防ぐことができる。
【０００７】
また、該パレットの内部スペースの中央にめねじを設けた孔を設け、孔と相対する調整器の外側におねじを設けることで、調整器のおねじと孔のめねじが螺合して可動的に昇降調整し、更に内部スペースに入れる接着剤の量をコントロールすることで、予め接着剤の使用量を調整することができ、量が過剰、或いは不足するのを防ぐ。
【０００８】
また、該パレットの内部スペースにある孔は調整器を螺合するほか、内部スペースを掃除する際、該調整器を孔から取り出し、残留する接着剤を孔から外に排出し、パレットを逆さまに置く必要がなく、簡単に掃除をすることができる。
【考案の効果】
【０００９】
本考案は内部スペースの底面に設置する孔および、その孔に排出口を具有する調整器を螺合して設置することにより、調整器の高さを調整して接着剤の量をコントロールしやすく、且つ掃除する際、調整器を外すだけで、孔から外側に残留分の接着剤を排出することができ、簡単に便利に掃除することができる。
【図面の簡単な説明】
【００１０】
【図１】本考案の立体外観図である。
【図２】本考案の立体分解図である。
【図３】本考案の側視断面図である。
【図４】本考案の最良実施例の側視断面図である。
【図５】従来技術のパレットの立体外観図である。
【図６】従来技術のパレットの実施例立体外観図である。
【考案を実施するための形態】
【００１１】
本考案による接着剤を入れるパレットの構造を明確に示すために、図に沿って詳細な説明を行う。図１、図２、図３及び図４に示すのは、本考案の立体外観図、立体分解図、側視断面図、最良実施例の側視断面図である。図から分かるように、本考案のパレットを構成するのは、パレット１、調整器２である。該パレットの内側に内部スペース１０を凹設し、該内部スペース１０の底面１０１に外側と貫通する孔１０２を設ける。
【００１２】
該調整器２は柱状であり、内部に貫通する排出口２０を具有する。前記各部品を組み立てる際、パレット１の内部スペース１０の底面１０１に設置した孔１０２に調整器２を可動的に組立、位置決めする。孔１０２と調整器２は密接に接し、調整器２が孔１０２にて昇降して可動的に調整できるようにする。更に、調整器２が内部スペース１０にて昇降し、高さを変更して調整することで、内部スペース１０内に入れる接着剤３の量を調整することができる。
【００１３】
前記パレット１の内部スペース１０に設置する孔１０２の内側にめねじ１０３を設け、調整器２の外側におねじ２１を設け、調整器２のおねじ２１と孔１０２のめねじ１０３を螺合して昇降調整し、調整器２を内部スペース１０での高さを調整することができる。パレット１の内部スペース１０に接着剤３を入れるとき、調整器２の高さを超えた分の接着剤３は、調整器２にある排出口２０を通じて外部に排出されるため、接着剤３が外部物質を付着、汚染する前に回収することができ、再利用することができるとともに、内部スペース１０に予定量の接着剤３が残る。また、調整器２が昇降して高さを調整することで、適切に内部スペース１０に入れる接着剤３の量を増減することができ、ユーザーが予定する接着剤３の使用量を入れることができる。厚紙やダンボール、合板、プラスティックの板材などを貼り付ける作業において、内部スペース１０に入れる接着剤３の量が過量或いは不足する状況を避けることができる。該接着剤３とは、糊、樹脂、液体のりなど、接着、接着作用のある液体を指す。
【００１４】
更に、使用後パレット１の内部スペース１０に残留する接着剤３を取り除く場合、該孔１０２と螺合する調整器２を取り外し、内部スペース１０の底面１０１が外側と貫通するようにすると、内部スペース１０の各辺や隅に残留する接着剤３をきれいに取り除くことができ、接着剤３が内部スペース１０に残留するのを防止することができる。パレット１の内部スペース１０をきれいに保つことができると同時に、毎回接着剤３を入れる際、新しい接着剤３が残留していた古い接着剤３によって汚染されない。
【００１５】
以上の最良実施例による本考案の詳細な説明は本考案の範囲を制限するものではない。本考案の接着剤を入れるパレットは、パレット１の内部スペース１０に設ける孔１０２に、調整器２を可動的に組み合わせることで、調整器２が孔１０２内で昇降し、内部スペース１０に入れる接着剤３の量を調整する目的に達し、それにより、接着剤３が過量或いは不足する状況を防止する。前記効果を具有する構造、装置は全て本考案の範囲内とし、適当な変更および調整を行っても本考案の重要な意義は失われず、本考案の範囲に含まれる。
【００１６】
本考案の接着剤を入れるパレットの構造を実際使用する際、下記のメリットを具有する。
(一)           
パレット１の内部スペース１０にある孔１０２に調整器２を螺合し、可動的に組合せて昇降して高さを調整することで、内部スペース１０に入れる接着剤３の量をコントロールすることができ、接着剤３の量が過剰或いは不足するのを防ぐため、加工作業の速度と効率に影響を与えず、生産量と生産高をアップすることができる。
(二)           
パレット１の内部スペース１０に入れる接着剤３は使用した後、内部スペース１０の孔１０２に螺合した調整器２を取り出すと、内部スペース１０の掃除をすることができ、残留している接着剤３を孔１０２から排出し、内部スペース１０をきれいに保つ。接着剤３の残留がないため、次回使用する際、新しく添加した接着剤３と混ざることがない。
【００１７】
本考案は、接着剤を入れるパレットの構造であり、パレットに内部スペースを凹設し、底面に調整器を螺合して昇降可動とする孔を設置し、調整器が昇降することで、内部スペース内に入れる接着剤の量をコントロールする。また、パレットの内部スペースに適量の接着剤を入れることができ、接着剤の量が過剰或いは不足する状況を防ぐ。また、調整器を孔から取り出すと、内部スペースの掃除をすることができる。パレットに入れる接着剤の量をコントロールできるほか、使用後の掃除もしやすい。以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００１８】
１  パレット
１０  内部スペース
１０１  底面
１０２  孔
１０３  めねじ
２  調整器
２０  排出口
２１  おねじ
３  接着剤
Aパレット
Ａ０  内部スペース
Ａ１  柱体
Ａ１０  排出口
Ｂ  接着剤
【図１】
0003166856.tif 000003
【図２】
0003166856.tif 000004
【図３】
0003166856.tif 000005
【図４】
0003166856.tif 000006
【図５】
0003166856.tif 000007
【図６】
0003166856.tif 000008